(57)【要約】  【課題】  押圧操作で自由に移動させることができ、しかも、押圧力をなくすることにより条体に対する位置を維持することができる環体を提供する。  【解決手段】  条体に移動可能に挿嵌支持される環体１であり、内側へ凸となる内周部１ａを有し、凸部１１，１１から周方向両側へ離隔した２つの位置の外周部１ｂを押圧することにより凸部１１，１１側がラジアル方向外側へ撓み、内周部１ａが条体の外径よりも大径となり、押圧力をなくすることにより、環体１が弾性復元し、凸部１１，１１が条体を挟み込み、条体に対する位置を維持することができるようにした。【選択図】      図１
2005318960.tif 000002
【特許請求の範囲】
【請求項１】
条体に移動可能に挿嵌支持される環体において、内側へ凸となる内周部を有し、凸部から周方向両側へ離隔した２つの位置をラジアル方向内側へ押圧することにより凸部側がラジアル方向外側へ撓むようになしてあることを特徴とする環体。
【請求項２】
条体に移動可能に挿嵌支持される環体において、対向する２つの位置側が、対向する他の２つの位置側よりも内側へ凸となる略楕円形をなしていることを特徴とする環体。
【請求項３】
前記凸部から周方向両側へ離隔した位置の外周部に押圧部が設けられている請求項１又は２記載の環体。
【請求項４】
前記押圧部は、前記凸部から周方向両側へ離隔した２つの位置の外周部に結合された結合部と、該結合部から周方向両側へ延出され、前記結合部近傍の撓み量を規制する規制片とを有する請求項３記載の環体。
【請求項５】
凸部側の内周部及び外周部間に貫通孔を有する請求項１乃至４のいずれか一つに記載の環体。
【発明の詳細な説明】
【技術分野】
【０００１】
本発明は竿部材、ロープ等の条体に洗濯物等の被吊物を吊すのに好適な環体に関する。
【背景技術】
【０００２】
洗濯物等の被吊物を竿部材、ロープに吊す場合、例えば特許文献１のように竿部材に引掛けられるフックと、該フックに結合されたフレームと、該フレームに取着された複数の挾み部材とを備えた吊り具が用いられたり、竿部材に遊嵌される掛止環が押圧部に連結された洗濯バサミが用いられている。
【特許文献１】実開平７−３９７９６号公報
【発明の開示】
【発明が解決しようとする課題】
【０００３】
ところが、従来の吊り具はフックの湾曲凹部が竿部材に遊嵌合されるように形成されているため、竿部材への取着及び取外し操作は簡易に行えるが、洗濯物等の被吊物が吊り下げられた状態では被吊物が風によって揺れた場合にフック部が竿部材に沿って滑ることになり、竿部材に対する位置を維持することができないと言う問題があった。また、洗濯バサミは掛止環が竿部材に遊嵌されているため、被吊物が吊り下げられた状態では被吊物が風によって揺れた場合に掛止環が竿部材に沿って滑ることになり、竿部材に対する位置を維持することができないと言う問題があった。従来の吊り具と同様の問題があった。
【０００４】
本発明は斯かる事情に鑑みてなされたものであり、主たる目的は条体に移動可能に挿嵌支持される環体を、内側へ凸となる内周部を有し、凸部から周方向両側へ離隔した２つの位置の外周部をラジアル方向内側へ押圧することにより凸部側がラジアル方向外側へ撓む構成することにより、押圧操作で自由に移動させることができ、しかも、押圧力をなくすることにより条体に対する位置を維持することができる環体を提供することにある。
【０００５】
また、他の目的は条体に移動可能に挿嵌支持される環体を、対向する２つの位置側が、対向する他の２つの位置側よりも内側へ凸となる略楕円形をなす構成とすることにより、押圧操作で自由に移動させることができ、しかも、押圧力をなくすることにより条体に対する位置を維持することができる環体を提供することにある。
【０００６】
また、他の目的は前記凸部から周方向両側へ離隔した２つの位置の外周部に押圧部を設けることにより、間違った位置を摘むのをなくすることができる環体を提供することにある。
【０００７】
また、他の目的は押圧部を前記凸部から周方向両側へ離隔した２つの位置の外周部に結合された結合部と、該結合部から周方向へ延出され、前記結合部近傍の撓み量を規制する規制片を有する構成とすることにより、押圧力を加減することなく凸部側をラジアル方向外側へ撓ませることができる環体を提供することにある。
【０００８】
また、他の目的は凸部側の内周部及び外周部間に貫通孔を設けることにより、被吊物を貫通孔に簡易に掛止することができる環体を提供することにある。
【課題を解決するための手段】
【０００９】
第１発明に係る環体は、条体に移動可能に挿嵌支持される環体において、内側へ凸となる内周部を有し、凸部から周方向両側へ離隔した２つの位置をラジアル方向内側へ押圧することにより凸部側がラジアル方向外側へ撓むようになしてあることを特徴とする。
【００１０】
第１発明にあっては、凸部から周方向両側へ離隔した２つの位置の外周部をラジアル方向内側へ押圧することにより凸部側をラジアル方向外側へ撓ませることができ、条体に容易に挿嵌支持することができる。また、押圧状態で自由に移動させることができ、容易に位置変更することができる。また、位置変更した位置で押圧力をなくすることにより、環体が弾性復元し、この弾性復元力により凸部が条体を押付けることになり、条体に対する位置を維持することができる。
【００１１】
第２発明に係る環体は、条体に移動可能に挿嵌支持される環体において、対向する２つの位置側が、対向する他の２つの位置側よりも内側へ凸となる略楕円形をなしていることを特徴とする。
【００１２】
第２発明にあっては、他の２つの位置部分が押圧されることにより、凸部側がラジアル方向外側へ撓むことになり、条体に容易に挿嵌支持することができる。また、押圧状態で自由に移動させることができ、容易に位置変更することができる。また、位置変更した位置で押圧力をなくすることにより、環体が弾性復元し、この弾性復元力により凸部が条体を押付けることになり、条体に対する位置を維持することができる。
【００１３】
第３発明に係る環体は、前記凸部から周方向両側へ離隔した位置の外周部に押圧部が設けられていることを特徴とする。
【００１４】
第３発明にあっては、押圧位置が特定されており、間違った位置を押圧するのをなくすることができ、正確に用いることができる。
【００１５】
第４発明に係る環体は、前記押圧部は、前記凸部から周方向両側へ離隔した２つの位置の外周部に結合された結合部と、該結合部から周方向両側へ延出され、前記結合部近傍の撓み量を規制する規制片とを有することを特徴とする。
【００１６】
第４発明にあっては、押圧操作で凸部側をラジアル方向外側へ撓ませるとき、結合部近傍の外周部が規制片に当接し、結合部近傍の撓み量を規制片により規制することができ、押圧力を加減することなく凸部側をラジアル方向外側へ撓ませることができる。
【００１７】
第５発明に係る環体は、凸部側の内周部及び外周部間に貫通孔を有することを特徴とする。
第５発明にあっては、被吊物を貫通孔に簡易に掛止することができる。
【発明の効果】
【００１８】
第１発明及び第２発明によれば、凸部と周方向両側へ離隔した２つの位置をラジアル方向内側に押圧することにより自由に移動させることができ、しかも、位置変更した位置で押圧力をなくすることにより、条体に対する位置を維持することができる。従って、風によって被吊物が揺れる場合においても環体の条体に対する位置を維持することができ、被吊物の条体に対する位置を維持することができる。
【００１９】
また、第３発明によれば、間違った位置を押圧するのをなくすることができ、正確に用いることができる。
【００２０】
また、第４発明によれば、押圧力を加減することなく凸部側をラジアル方向外側へ撓ませることができ、環体の移動操作を容易にできる。
【００２１】
また、第５発明によれば、被吊物を貫通孔に簡易に掛止することができる。
【発明を実施するための最良の形態】
【００２２】
以下、本発明をその実施の形態を示す図面に基づいて詳述する。図１は環体の構成を示す拡大断面図、図２は環体の構成を示す側面図、図３は環体を撓ませた状態を示す説明図である。
【００２３】
図に示した環体は、竿部材、ロープ等の条体に移動可能に挿嵌支持されるもので、２つの周方向位置側がラジアル方向内側へ凸となる非円形の内周部１ａ及び該内周部１ａからの厚さがほぼ等しくなる非円形の外周部１ｂを有する略楕円形をなしており、内周部１ａの凸部１１，１１から周方向両側へ等しく離隔した２つの位置１ｃ，１ｃの外周部をラジアル方向内側へ押圧することにより凸部１１，１１側がラジアル方向外側へ撓み、略円形となるように構成されている。即ち、対向する２つの位置側が、対向する他の２つの位置側よりもラジアル方向内側へ凸となるように湾曲しており、他の２つの位置１ｃ，１ｃ間の距離Ｈ２が凸部１１，１１間の距離Ｈ１よりも長くなっており、他の２つの位置１ｃ，１ｃ側をラジアル方向内側へ押圧することにより、他の２つの位置１ｃ，１ｃ側をラジアル方向内側へ撓ませつつ凸部１１，１１側をラジアル方向外側へ撓ませ、全体を略円形となるように変形させることができるように構成されている。
【００２４】
また、環体１の外周部１ｂは凸部１１，１１から周方向両側へ等しく離隔した２つの位置１ｃ，１ｃに押圧部１２，１２が一体に設けられている。この押圧部１２，１２は２つの位置１ｃ，１ｃの外周部に一体に結合された結合部１２ａ，１２ａと、該結合部１２ａ，１２ａから周方向両側へ延出され、結合部１２ａ，１２ａ近傍の撓み量を規制する規制片１２ｂ，１２ｂを有しており、さらに一方の凸部１１側の内周部１ａ及び外周部１ｂ間に貫通孔１３が設けられている。
【００２５】
規制片１２ｂ，１２ｂと外周部１ｂとの間は隙間があり、押圧部１２，１２をラジアル方向内側へ押圧し、凸部１１，１１側をラジアル方向外側へ撓ませるとき、外周部１ｂが規制片１２ｂ，１２ｂに当接し、結合部１２ａ，１２ａ近傍の撓み量、換言すれば押圧部１２，１２近傍の撓み量を規制するようにしてある。  また、環体１は押圧部１２，１２と合成樹脂材料により一体に成形され可撓になっている。
【００２６】
図４は環体を条体に挿嵌するときの状態を示す説明図、図５は環体を条体に挿嵌支持した状態を示す説明図である。以上のように構成された環体１は、洗濯物等の被吊物を吊す竿部材、ロープ等の条体Ａに移動可能に挿嵌支持される。非挿嵌時は押圧部１２，１２側の距離Ｈ２が、凸部１１，１１間の距離Ｈ１及び条体Ａの外径Ｄよりも長くなっている。
【００２７】
条体Ａに挿嵌する場合、押圧部１２，１２を押圧し、押圧部１２，１２側をラジアル方向内側へ摘ませつつ凸部１１，１１側をラジアル方向外側へ撓ませることにより、距離Ｈ１が条体Ａの外径Ｄよりも長くなり、換言すれば、内周部１ａが条体Ａの外径Ｄよりも大径となり、（図４参照）、この押圧状態で環体１を自由に移動させることができる。このように押圧部１２，１２を押圧し、押圧部１２，１２側をラジアル方向内側へ撓ませるとき、凸部１１，１１から周方向両側へ離隔した２つの位置１ｃ，１ｃの外周部が規制片１２ｂ，１２ｂに当接し、結合部１２ａ，１２ａ近傍の撓み量が規制されるため、押圧力を加減することなく内側距離Ｈ１が条体Ａの外径Ｄよりも長くなるように、換言すれば、内周部１ａが条体Ａの外径Ｄよりも大径となるように変形させることができ、環体１の移動操作を容易にできる。
【００２８】
適宜の位置で環体１の移動操作を止め、押圧力をなくすることにより、環体１が弾性復元し、距離Ｈ１が条体Ａの外径Ｄよりも短くなって凸部１１，１１が条体Ａを挟み込み、条体Ａに対する位置を維持することができる（図５参照）。従って、貫通孔１３に洗濯バサミ等の吊り具を掛止し、洗濯物を干すような場合、風によって被吊物が揺れる場合においても環体１の条体Ａに対する位置を維持することができ、被吊物の条体Ａに対する位置を維持することができる。
【００２９】
環体１の条体Ａに対する位置が維持されている状態で、押圧部１２，１２を押圧し、押圧部１２，１２側をラジアル方向内側へ摘ませつつ凸部１１，１１側をラジアル方向外側へ撓ませることにより距離Ｈ１が条体Ａの外径Ｄよりも長くなり、換言すれば、内周部１ａが条体Ａの外径Ｄよりも大径となり、この押圧状態で環体１を自由に移動させることができる。
【００３０】
尚、以上説明した実施の形態では、略楕円形をなす環体１が規制片１２ｂ，１２ｂを有する構成としたが、この規制片１２ｂ，１２ｂをなくし、外周部１ｂに押圧部１２，１２が設けられた構成としてもよく、押圧部１２，１２の構成は特に制限されない。
【００３１】
また、以上説明した実施の形態では環体１の全体が略楕円形をなす構成としたが、その他、全体は略円形をなし、内側の１つの周方向位置、又は、対向する２つの位置に凸部１１，１１を有する構成としてもよいのであり、全体の形状、凸部１１，１１の形状及び凸部１１，１１の個数は特に制限されない。
【００３２】
図５の(a) (b) (c) (d) は本発明に係る環体の他の構成を示す正面図である。図５の(a) は全体が略円形であり、１つの周方向位置に凸部１１が設けられた構成としてある。図５の(b) は全体が略円形であり、対向する２つの位置に凸部１１，１１が設けられた構成としてある。図５の(c) は外周部１ｂが略楕円形をなし、円形をなす内周部１ａの２つの周方向位置に凸部１１，１１が設けられた構成としてある。図５の(d) は外周部１ｂが多角形（詳しくは六角形）をなし、円形をなす内周部１ａの２つの周方向位置に凸部１１，１１が設けられた構成としてある。何れの形態においても、１つの周方向位置又は対向する２つの位置に凸部１１を有し、他の２つの位置１ｃ，１ｃ間の距離Ｈ２が、凸部１１及び凸部１１と対向する位置間の距離Ｈ１よりも長く、他の２つの位置１ｃ，１ｃを押圧することにより前記凸部１１側がラジアル方向外側へ撓むようになしてある。
【００３３】
また、本発明に係る環体は物干し具を掛止するために用いられる他、竿部材、ロープ等の条体Ａに適宜の物を支持するために用いることも可能である。
【図面の簡単な説明】
【００３４】
【図１】本発明に係る環体の構成を示す拡大断面図である。
【図２】本発明に係る環体の構成を示す側面図である。
【図３】本発明に係る環体を撓ませた状態を示す説明図である。
【図４】本発明に係る環体を条体に挿嵌するときの状態を示す説明図である。
【図５】本発明に係る環体を条体に挿嵌支持した状態を示す説明図である。
【符号の説明】
【００３５】
１    環体
１ａ  内周部
１ｂ  外周部
１１  凸部
１２  押圧部
１２ａ  結合部
１２ｂ  規制片
１３  貫通孔
【図１】
2005318960.tif 000003
【図２】
2005318960.tif 000004
【図３】
2005318960.tif 000005
【図４】
2005318960.tif 000006
【図５】
2005318960.tif 000007